(57)【要約】【課題】  利用者が簡単に情報を入力することができる情報処理装置を提供する。【解決手段】  端末装置１００には、端末装置１００に入力可能な情報に対応した情報入力部１１０と、選択情報入力部１５０が設けられている。選択情報入力部１５０は、選択情報入力部１５０に接触した利用者の人体とともに信号伝送路を形成する。利用者が携帯している人体側通信装置２００の記憶装置には、端末装置１００に入力可能な情報の中から選択された情報が選択情報として記憶されている。端末装置１００は、選択情報入力部１５０に利用者が接触すると、選択情報入力部１５０及び利用者の人体により形成される信号伝送路を介して、利用者が携帯している人体側通信装置２００の記憶装置に記憶されている選択情報を読み取る。そして、読み取った選択情報に対応する情報に基づいて処理を実行する。【選択図】    図１
2007034627.tif 000002
【特許請求の範囲】
【請求項１】
利用者が携帯する人体側通信装置と、端末装置を備え、
前記人体側通信装置は、前記端末装置に入力可能な情報の中から選択された選択情報を複数記憶する記憶手段と、前記記憶手段に記憶されている複数の選択情報の中から少なくとも一つの選択情報を選択する選択部を有しており、
前記端末装置は、利用者が接触することによって、利用者の人体とともに信号伝送路を形成する信号伝送路形成部を有し、利用者が前記信号伝送路形成部に接触すると、前記信号伝送路形成部及び前記信号伝送路形成部に接触した利用者の人体を含む信号伝送路を介して、前記信号伝送路形成部に接触した利用者が携帯している人体側通信装置の記憶手段に記憶されている複数の選択情報の中から、前記選択部により選択された少なくとも一つの選択情報を読み取り、前記読み取った選択情報に基づいて処理を実行する、
ことを特徴とする情報処理装置。
【請求項２】
請求項１に記載の情報処理装置であって、
前記人体側通信装置は、前記端末装置に入力可能な情報を入力する入力手段を有し、前記記憶手段には、前記入力手段により入力された情報が前記選択情報として記憶される、
ことを特徴とする情報処理装置。
【請求項３】
請求項１に記載の情報処理装置であって、
前記人体側通信装置は、前記端末装置に入力可能な情報を提供する情報提供装置に接続可能な通信手段を有し、前記記憶手段には、前記通信手段により前記情報提供装置から受信した情報が前記選択情報として記憶される、
ことを特徴とする情報処理装置。
【請求項４】
利用者が携帯する人体側通信装置と、端末装置を備え、
前記人体側通信装置は、前記端末装置に入力可能な情報の中から選択した情報を入力する入力手段と、前記入力手段により入力された情報を選択情報として記憶する記憶手段を有しており、
前記端末装置は、利用者が接触することによって、利用者の人体とともに信号伝送路を形成する信号伝送路形成部を有し、利用者が前記信号伝送路形成部に接触すると、前記信号伝送路形成部及び前記信号伝送路形成部に接触した利用者の人体を含む信号伝送路を介して、前記信号伝送路形成部に接触した利用者が携帯している人体側通信装置の記憶手段に記憶されている選択情報を読み取り、前記読み取った選択情報に基づいて処理を実行する、
ことを特徴とする情報処理装置。
【請求項５】
利用者が携帯する人体側通信装置と、端末装置を備え、
前記人体側通信装置は、前記端末装置に入力可能な情報を提供する情報提供装置に接続可能な通信手段と、前記通信手段で受信した情報を選択情報として記憶する記憶手段を有しており、
前記端末装置は、利用者が接触することによって、利用者の人体とともに信号伝送路を形成する信号伝送路形成部を有し、利用者が前記信号伝送路形成部に接触すると、前記信号伝送路形成部及び前記信号伝送路形成部に接触した利用者の人体を含む信号伝送路を介して、前記信号伝送路形成部に接触した利用者が携帯している人体側通信装置の記憶手段に記憶されている選択情報を読み取り、前記読み取った選択情報に基づいて処理を実行する、
ことを特徴とする情報処理装置。
【請求項６】
請求項１〜５のいずれかに記載の情報処理装置であって、
前記端末装置は、当該端末装置に情報を入力する情報入力部を有し、前記信号伝送路形成部及び前記信号伝送路形成部に接触した利用者の人体を含む信号伝送路を介して、前記信号伝送路形成部に接触した利用者が携帯している人体側通信装置の記憶手段に記憶されている選択情報を読み取った場合には、当該読み取った選択情報に基づいて処理を実行し、前記情報入力部から情報が入力された場合には、前記情報入力部から入力された情報に基づいて処理を実行する、
ことを特徴とする情報処理装置。
【請求項７】
請求項１〜６のいずれかに記載の情報処理装置であって、
管理装置を備え、
前記人体側通信装置の記憶手段には、利用者を識別する利用者識別情報が記憶されており、
前記端末装置は、利用者が前記信号伝送路形成部に接触すると、前記信号伝送路形成部及び前記信号伝送路形成部に接触した利用者の人体を含む信号伝送路を介して、前記信号伝送路形成部に接触した利用者が携帯している人体側通信装置の記憶手段に記憶されている選択情報とともに利用者識別情報を読み取り、前記読み取った選択情報に基づいて処理を実行し、また、実行する処理に対応する処理情報と前記読み取った利用者識別情報を前記管理装置に送信し、
前記管理装置は、各利用者の利用者情報を利用者識別情報に対応させて記憶する記憶手段を有し、前記端末装置から送信された処理情報と利用者識別情報を受信すると、前記記憶手段に記憶されている前記受信した利用者識別情報に対応する利用者情報を、前記処理情報に基づいて処理する、
ことを特徴とする情報処理装置。
【発明の詳細な説明】
【技術分野】
【０００１】
本発明は、入力された情報を処理する情報処理装置に関し、特に情報処理装置に情報を入力する技術に関する。
【背景技術】
【０００２】
利用者が入力した入力情報に基づいて処理を実行する情報処理装置が用いられている。このような情報処理装置としては、例えば、切符（乗車券）の自動販売機（券売機）が知られている。
従来の券売機は、処理装置、駅名に対応して設けられた駅名ボタン、硬貨投入口、紙幣投入口やプリペイドカード投入口、表示器、切符排出口、釣銭排出口等を有している。この従来の券売機では、利用者は、硬貨投入口や紙幣投入口に硬貨や紙幣を投入しあるいはプリペイドカード投入口にプリペイドカードを投入し、降車駅に対応する駅名ボタンを操作する（乗車駅と降車駅に対応する駅名ボタンを操作する場合もある）。端末装置は、硬貨投入口や紙幣投入口に投入された硬貨や紙幣を検出あるいはプリペイドカード投入口に投入されたプリペイドカードに書き込まれている残高を検出するとともに、操作された行先ボタンを判別する。そして、操作された行先ボタンに対応する降車駅までの乗車区間に対応する乗車券購入金額（運賃）を判別した後、降車駅まで乗車可能な切符を切符排出口から排出する。また、投入された硬貨や紙幣の合計金額が運賃より多い場合には、釣銭排出口から釣銭を排出する。運賃がプリペイドカードにより支払われる場合には、プリペイドカードに書き込まれている残高から運賃を減算した残高をプリペイドカードに書き込み、プリペイドカード投入口から排出する。（特許文献１参照）
【特許文献１】特開２００５−２５３５８号公報
【発明の開示】
【発明が解決しようとする課題】
【０００３】
従来の券売機では、利用者は、切符を購入する際、駅名ボタンの中から降車駅に対応する駅名ボタン（あるいは、乗車駅及び降車駅に対応する駅名ボタン）を探し出して操作する必要がある。
なお、乗車駅と降車駅の間の乗車区間の運賃に対応する金額ボタンが操作されると、運賃が印刷された切符を発券する券売機も知られている。このような券売機においても、利用者は、切符を購入する際、乗車駅と降車駅の間の乗車区間に対応する運賃を運賃表から判別し、判別した運賃に対応する金額ボタンを探し出して操作する必要がある。
このため、簡単な操作によって切符を購入することができる券売機の開発が要望されている。
本発明は、このような点に鑑みて草案されたものであり、券売機が切符の発券処理を実行するために必要な降車駅情報、すなわち、端末装置が処理を実行するために必要な情報を利用者が簡単に入力することができる情報処理装置を提供することを目的とする。
【課題を解決するための手段】
【０００４】
前記課題を解決するための本発明の第１発明は、請求項１に記載されたとおりの情報処理装置である。
本発明は、利用者が携帯する人体側通信装置と端末装置を備えている。
人体側通信装置は、記憶手段と選択部を有している。記憶部には、端末装置に入力可能な情報の中から選択された情報が選択情報として複数記憶されており、選択部によって、記憶手段に記憶されている複数の選択情報の中から少なくとも一つの選択情報が選択される。
端末装置は、利用者が接触することによって、利用者の人体とともに信号伝送路を形成する信号伝送路形成部を有している。そして、この信号伝送路を介して、人体側通信装置の記憶手段に記憶されている選択情報の中から、選択部によって選択されている選択情報を読み取り、読み取った選択情報に基づいて処理を実行する。
人体側通信装置の、選択情報を記憶する記憶手段としては、人体側通信装置に一体的に設けられている記憶手段を用いることもできるし、人体側通信装置に設けられた装着部に着脱自在に装着された記憶手段を用いることもできる。
人体側通信装置の選択部は、記憶手段に記憶されている複数の選択情報の中から所望の選択情報を選択することができればよく、人体側通信装置に一体的に設けられていてもよいし、人体側通信装置と別体に設けられていてもよい。例えば、人体側通信装置に一体的に設けられている選択キー、あるいは、人体側通信装置に接続されている、携帯電話機等の携帯端末装置に設けられている選択キーを用いることができる。
人体側通信装置の記憶手段に記憶される選択情報は、端末装置の処理内容や処理方法等に応じて端末装置に入力される情報の中から選択される。例えば、端末装置が切符の自動販売機（券売機）である場合には、端末装置が切符の発券処理を実行するために必要な乗車駅情報と降車駅情報あるいは降車駅情報あるいは乗車駅と降車駅の間の乗車区間に対応する運賃情報等の中から選択される。あるいは、端末装置が、飲み物等の自動販売機である場合には、端末装置が飲み物等を選択して排出する処理を実行するために必要な飲み物情報等の中から選択される。
人体側通信装置の記憶手段に選択情報を記憶させる方法としては、種々の方法を用いることができる。例えば、入力キーを用いて入力する方法や、Ｗｅｂサイト管理装置等の情報提供装置からダウンロードして入力する方法等を用いることができる。
人体側通信装置は、典型的には、処理手段と、記憶手段と、送受信手段と、少なくとも一対の電極を有している。送受信手段は、少なくとも一対の電極と人体側通信装置を携帯している利用者の人体を含む信号伝送路を介して信号の送受信を行うことができる。
端末装置に設けられる信号伝送路形成部としては、典型的には、導電性部材により形成されたタッチキーが用いられる。
人体側通信装置の記憶手段に記憶されている選択情報を端末装置により読み取る方法としては、人体側通信装置の構成に応じて、種々の方法を用いることができる。例えば、端末装置から信号伝送路を介して人体側通信装置に送信要求信号を送信し、送信要求信号の受信に応答して、人体側通信装置から信号伝送路を介して送信された選択情報を端末装置で受信する方法を用いることができる。
なお、信号伝送路形成部と人体との間に、人の衣服等の介在物が存在する場合でも、人体を含む信号伝送路を形成することができる。このため、本明細書では、「信号伝送路形成部及び信号伝送路形成部に接触している利用者の人体を含む信号伝送路」には、利用者と信号伝送路形成部との間に介在物が存在している状態で形成される、利用者の人体と信号伝送路形成部を含む信号伝送路も含まれる。
【０００５】
本発明の第２発明は、請求項２に記載されたとおりの情報処理装置である。
本発明では、人体側通信装置は、端末装置に入力可能な情報を入力する入力手段を有しており、人体側通信装置の記憶手段には、入力手段により入力された情報が選択情報として記憶される。
入力手段としては、端末装置に入力可能な情報を入力することができる種々の入力手段を用いることができる。また、入力手段は、人体側通信装置と一体的に設けられていてもよいし、人体側通信装置と別体に設けられていてもよい。例えば、人体側通信装置に一体的に設けられている入力キー、あるいは、人体側通信装置に接続されている、携帯電話機等の携帯端末装置やパソコン等に設けられている入力キーを用いることができる。
本発明では、例えば、入力キーにより、端末装置が切符の発券処理を実行するために必要な乗車駅情報と降車駅情報あるいは降車駅情報あるいは乗車駅と降車駅の間の乗車区間に対応する運賃情報等が入力される。
【０００６】
本発明の第３発明は、請求項３に記載されたとおりの情報処理装置である。
本発明では、人体側通信装置は、端末装置に入力可能な情報を提供する情報提供装置から情報を受信可能な通信手段を有しており、人体側通信装置の記憶手段には、通信手段により情報提供装置から受信した情報が選択情報として記憶される。
情報提供装置としては、典型的には、端末装置に入力される情報をＷｅｂサイトに掲載しているＷｅｂサイト管理装置が用いられる。
通信手段としては、人体側通信装置に一体的に設けられている通信手段を用いてもよいし、人体側通信装置に接続されている、携帯電話機等の携帯端末装置やパソコン等に設けられている通信手段を用いてもよい。
本発明では、例えば、通信手段により、Ｗｅｂサイト管理装置から、端末装置が切符の発券処理を実行するために必要な乗車駅情報と降車駅情報あるいは降車駅情報あるいは乗車駅と降車駅の間の乗車区間に対応する運賃情報等がダウンロードされて入力される。
【０００７】
本発明の第４発明は、請求項４に記載されたとおりの情報処理装置である。
本発明は、利用者が携帯する人体側通信装置と端末装置を備えている。
人体側通信装置は、入力手段と記憶手段を有している。入力手段は、端末装置に入力可能な情報の中から選択した情報を入力可能であり、記憶手段には、入力手段により入力された情報が選択情報として記憶される。
端末装置は、利用者が接触することによって、利用者の人体とともに信号伝送路を形成する信号伝送路形成部を有している。そして、この信号伝送路を介して、信号伝送路形成部に接触した利用者が携帯している人体側通信装置の記憶手段に記憶されている選択情報を読み取り、前記読み取った選択情報に基づいて処理を実行する、
人体側通信装置の入力手段としては、種々の入力手段を用いることができ、また、入力手段は、人体側通信装置と一体的に設けられていてもよいし、別体に設けられていてもよい。例えば、人体側通信装置に一体的に設けられている入力キー、あるいは、人体側通信装置に接続されている、携帯電話機等の携帯端末装置やパソコン等に設けられている入力キーが用いられる。
人体側通信装置の記憶手段としては、人体側通信装置に一体的に設けられた記憶手段を用いることもできるし、人体側通信装置に設けられた装着部に着脱自在に装着された記憶手段を用いることもできる。
人体側通信装置の記憶手段に記憶されている選択情報を端末装置により読み取る方法としては、人体側通信装置の構成に応じて、種々の方法を用いることができる。
【０００８】
本発明の第５発明は、請求項５に記載されたとおりの情報処理装置である。
本発明は、利用者が携帯する人体側通信装置と端末装置を備えている。
人体側通信装置は、通信手段と記憶手段を有している。通信手段は、端末装置に入力可能な情報を情報提供装置から受信可能であり、記憶手段には、通信手段で受信した情報が選択情報として記憶される。
端末装置は、利用者が接触することによって、利用者の人体とともに信号伝送路を形成する信号伝送路形成部を有している。そして、この信号伝送路を介して、信号伝送路形成部に接触した利用者が携帯している人体側通信装置の記憶手段に記憶されている選択情報を読み取り、読み取った選択情報に基づいて処理を実行する。
情報提供装置としては、典型的には、端末装置に入力される情報をＷｅｂサイトに掲載しているＷｅｂサイト管理装置が用いられる。
人体側通信措置の通信手段としては、人体側通信装置に一体的に設けられている通信手段を用いてもよいし、人体側通信装置に接続されている、携帯電話機等の携帯端末装置やパソコン等に設けられている通信手段を用いてもよい。
人体側通信装置の記憶手段としては、人体側通信装置に一体的に設けられた記憶手段を用いることもできるし、人体側通信装置に設けられた装着部に着脱自在に装着された記憶手段を用いることもできる。
人体側通信装置の記憶手段に記憶されている選択情報を端末装置により読み取る方法としては、人体側通信装置の構成に応じて、種々の方法を用いることができる。
【０００９】
本発明の第６発明は、請求項６に記載されたとおりの情報処理装置である。
本発明では、端末装置は、当該端末装置に情報を入力する情報入力部を有している。そして、端末装置は、信号伝送路形成部及び利用者の人体を含む信号伝送路を介して人体側通信装置の記憶手段に記憶されている選択情報を読み取った場合には、読み取った選択情報に基づいて処理を実行する。一方、情報入力部から情報が入力された場合には、情報入力部から入力された情報に基づいて処理を実行する。
情報入力部としては、種々の入力部を用いることができる。典型的には、タッチ式の入力キーが用いられる。また、単一の情報を入力する情報入力部を用いてもよいし、複数の情報を入力可能な共通の情報入力部を用いてもよい。
情報入力部から入力する情報は、端末装置の処理内容や処理方法等に応じて適宜決定される。例えば、端末装置が切符の自動販売機（券売機）である場合には、切符の発券処理を実行するために必要な乗車駅情報と降車駅情報あるいは降車駅情報あるいは運賃情報等が入力される。あるいは、端末装置が、飲み物等の自動販売機である場合には、飲み物等を選択して排出する処理を実行するために必要な飲み物情報等が入力される。
なお、人体側通信装置の記憶手段には、情報入力部から入力可能な情報の中から選択した情報を選択情報として記憶させるのが好ましい。例えば、情報入力部から乗車駅情報及び降車駅情報が入力される場合には、人体側通信装置の記憶手段には、情報入力部から入力可能な乗車駅情報及び降車駅情報の中から選択された乗車駅情報及び降車駅情報を記憶させる。
【００１０】
本発明の第７発明は、請求項７に記載されたとおりの情報処理装置である。
本発明では、各利用者の利用者情報を利用者識別情報に対応させて管理する管理装置を備えているとともに、人体側通信装置の記憶手段には利用者識別情報が記憶されている。
端末装置は、利用者が信号伝送路形成部に接触すると、信号伝送路形成部及び利用者の人体を含む信号伝送路を介して、人体側通信装置の記憶手段に記憶されている選択情報とともに利用者識別情報を読み取る。そして、読み取った選択情報に基づいて処理を実行するとともに、実行する処理に対応する処理情報と読み取った利用者識別情報を管理装置に送信する。
管理装置は、端末装置から送信された利用者識別情報に対応する利用者情報を、端末装置から送信された処理情報に基づいて処理する。
利用者情報としては、好適には、端末装置が選択情報の入力に基づいて実行する処理に応じて決定される変動情報が用いられる。例えば、利用者が前払いしている金額の残高情報、切符や飲み物等の購入に対する購入金額情報等が用いられる。勿論、これ以外の種々の情報、例えば、購入内容情報、購入日時情報等の購入履歴情報を用いることもできる。各利用者の利用者情報は、例えば、各利用者の利用者情報を利用者識別情報に対応させて記憶する利用者情報データベースによって管理される。
端末装置の処理に対応する処理情報としては、管理装置が、処理情報に基づいて利用者情報を処理するために必要な情報が用いられる。処理情報としては、例えば、端末装置が販売機として構成される場合には、入力された選択情報に基づいて販売する販売品の購入金額情報が用いられる。勿論、処理情報として、さらに、管理装置が利用者情報を管理するのに有効な情報、例えば、購入内容情報（例えば、鉄道会社情報、乗車区間情報）や購入日時情報等も用いてもよい。
【発明の効果】
【００１１】
請求項1に記載の情報処理装置を用いれば、利用者は、選択部により、人体側通信装置に記憶されている複数の選択情報の中から所望の選択情報を選択した状態で、端末装置の信号経路形成部に接触するのみで、所望の情報を端末装置に入力することができる。
これにより、端末装置に入力する情報に対応する情報入力部を探し出して操作する操作が不要となり、端末装置に簡単に情報を入力することができる。
請求項２に記載の情報処理装置を用いれば、さらに、人体側通信装置の記憶手段に選択情報として記憶する情報を、人体側通信装置に設けられている入力手段により入力することができるため、人体側通信装置の記憶手段に選択情報を容易に記憶させることができる。特に、入力手段として、人体側通信装置に接続される携帯電話機等の携帯端末装置やパソコン等に設けられている入力手段を用いる場合には、人体側通信措置に入力手段を設ける必要がないため、安価に構成することができる。
請求項３に記載の情報処理装置を用いれば、さらに、人体側通信装置の記憶手段に選択情報として記憶する情報を、情報提供装置から受信することができるため、人体側通信装置の記憶手段に選択情報を容易に記憶させることができる。特に、情報提供装置から情報を受信する場合、選択操作によって情報を受信することがきるため、操作が簡単である。また、通信手段として、人体側通信装置に接続される携帯電話機等の携帯端末装置やパソコン等に設けられている入力手段を用いる場合には、人体側通信措置に、情報提供装置に接続するための通信手段を設ける必要がないため、安価に構成することができる。
請求項４に記載の情報処理装置を用いれば、人体側通信装置に設けられている入力手段により人体側通信装置の記憶手段に選択情報として記憶する情報を入力することができるため、人体側通信装置の記憶手段に選択情報を容易に記憶させることができる。特に、入力手段として、人体側通信装置に接続される携帯電話機等の携帯端末装置に設けられている入力手段を用いる場合には、人体側通信装置に入力手段を設ける必要がないため、安価に構成することができる。また、利用者が常時携帯していることが多い携帯端末装置を用いて情報を入力することができるため、人体側通信装置の記憶手段に任意の選択情報を、任意の時期に、容易に記憶させることができる。
請求項５に記載の情報処理装置を用いれば、人体側通信装置に設けられている通信手段により、人体側通信装置の記憶手段に選択情報として記憶する情報を情報提供装置から受信することができるため、人体側通信装置の記憶手段に選択情報を容易に記憶させることができる。特に、通信手段として、人体側通信装置に接続される携帯電話機等の携帯端末装置に設けられている通信手段を用いる場合には、人体側通信装置に通信手段を設ける必要がないため、安価に構成することができる。また、利用者が常時携帯していることが多い携帯端末装置を用いて情報を受信することができるため、人体側通信装置の記憶手段に任意の選択情報を、任意の時期に、容易に記憶させることができる。
請求項６に記載の情報処理装置を用いれば、利用者は、選択情報が記憶手段に記憶されている人体側通信装置を携帯した状態で信号伝送路形成部に接触することによってあるいは情報入力部を操作することによって情報を入力することができる。これにより、利用者の利便性が向上する。
請求項７に記載の情報処理装置を用いれば、利用者は、選択情報及び利用者識別情報が記憶手段に記憶されている人体側通信装置を携帯した状態で端末装置の信号伝送路形成部に接触するのみで、選択情報に対応する情報を端末装置に入力することができるとともに、自己の利用者情報の管理も行うことができる。特に、本発明を、選択情報に基づく端末装置の処理に対する料金支払いの管理に用いた場合、料金の清算処理のために必要な操作も不要となるため、利用者の操作がより簡略化される。
【発明を実施するための最良の形態】
【００１２】
以下に、図面を参照しながら本発明の実施の形態を説明する。
本発明の第１の実施の形態を図１〜図３に示す。本実施の形態は、本発明を、切符の発券処理等を実行する切符の自動販売機（券売機）として構成したものである。
なお、図１は、本実施の形態で用いる端末装置１００の正面（利用者側基盤面）を示す図であり、図２は、端末装置１００の概略構成を示す図であり、図３は、人体側通信装置２００の概略構成を示す図である。
【００１３】
本実施の形態の情報処理装置は、端末装置１００と人体側通信装置２００により構成されている。なお、本実施の形態では、端末装置１００は、切符を販売する券売機として構成されている。
端末装置１００の利用者側基盤面（正面）には、種々の装置が配設されている。
図１では、情報入力部１１０、表示器１２０、硬貨投入口１３０ａ、紙幣投入口１３０ｂ、プリペイドカード投入口１４０、選択情報入力部１５０、切符排出口１６０、釣銭排出口１７０が配設されている。
【００１４】
情報入力部１１０は、端末装置１００（券売機）が切符の発券処理を実行するために必要な情報を入力する。
情報入力部１１０から入力される情報は、端末装置１００（具体的には、図２に示す処理装置１８０）における切符の発券処理方法に応じて適宜決定される。例えば、乗車駅を示す乗車駅情報と降車駅を示す降車駅情報に基づいて、乗車区間及び乗車区間の運賃を判別することによって切符を発券する場合には、情報入力部１１０から乗車駅情報と降車駅情報が入力される。あるいは、降車駅情報に基づいて、端末装置１００が設置されている駅からの乗車区間及び運賃を判別することによって切符を発券する場合には、情報入力部１１０から降車駅情報が入力される。あるいは、運賃情報に基づいて切符を発券する場合には、情報入力部１１０から金額情報が入力される。この場合には、利用者は、端末装置が設置されている駅から降車駅までの運賃を運賃表から判別し、判別した運賃に対応する金額情報を入力する。
本実施の形態の端末装置１００は、乗車駅情報と降車駅情報に基づいて切符の発券処理を実行する券売機として構成されている。また、情報入力部１１０として、乗車駅情報と降車駅情報を入力する駅情報入力キーが用いられている。
情報入力部１１０としては、種々の構成の入力部を用いることができる。例えば、乗車駅及び降車駅の駅名に対応させて個別に設けられたタッチ式の入力キーを用いることができる。あるいは、複数の乗車駅名が表示された乗車駅表示画面や複数の降車駅名が表示された降車駅表示画面等の表示画面が表示され、表示画面に表示されている駅名をタッチするタッチ式表示画面が用いられる。
【００１５】
表示器（表示手段）１２０の表示画面には、種々の情報が表示される。例えば、図１に示されているように、乗車駅情報や降車駅情報、乗車区間の運賃情報、切符購入後の残高情報（プリペイドカードの残高情報や前払いしてある金額の残高情報）、購入指示情報を入力する購入指示情報入力部１２０ａ、購入中止指示情報を入力する購入中止指示情報入力部１２０ｂ等の指示情報入力部が表示される。
なお、表示器１２０は、情報入力部１１０として用いることもできる。
硬貨投入口１３０ａや紙幣投入口１３０ｂには、現金で切符を購入する場合に硬貨や紙幣が投入される。また、プリペイドカード投入口１４０には、プリペイドカードで切符を購入する場合にプリペイドカードが投入される。
選択情報入力部（選択情報入力手段）１５０は、利用者が携帯している人体側通信装置２００の記憶手段に記憶されている選択情報を端末装置１００に入力する場合に利用者によってタッチ（接触）されるタッチキーである。選択情報入力部１５０は、選択情報入力部１５０にタッチした利用者の人体とともに信号伝送路を形成する。選択情報入力部１５０は、例えば、導電性部材により形成されたタッチキーとして構成され、送受信装置（図２参照）に接続される。人体側通信装置２００については後述する。
本実施の形態では、選択情報入力部１５０が本発明の「信号伝送路形成部」に対応する。
切符排出口１６０からは切符が排出され、釣銭排出口１７０からは釣銭が排出される。
【００１６】
次に、端末装置１００の概略構成を、図２を参照して説明する。
端末装置１００は、端末装置１００全体の動作を制御する処理装置（処理手段）１８０を主体に構成されている。また、入力装置や出力装置等の種々の装置が設けられ、処理装置１８０に接続されている。
図２では、操作検出装置１１１、表示器駆動装置１２１．操作検出装置１２２、投入金額検出装置１３１、読取／書込装置１４１、送受信装置１５１、発券装置１５１、釣銭検出装置１７１等が設けられている。
なお、図示は省略しているが、種々の制御プログラムや人体側通信装置から読み取った選択情報等を記憶する記憶装置（記憶手段）が設けられている。
【００１７】
操作検出装置（操作検出手段）１１１は、情報入力部１１０が操作されたことを検出する。操作検出装置１１１としては、種々の検出装置を用いることができる。例えば、利用者が情報入力部１１０にタッチ（接触）したことを検出するタッチセンサを用いることができる。タッチセンサは、情報入力部１１１毎に設けられていてもよいし、利用者がタッチした位置を判別するように設けられていてもよい。処理装置１８０は、操作検出装置１１１の検出信号に基づいて、利用者がタッチした情報入力部１１０を判別することによって、利用者が入力した降車駅情報を判別する。
表示器駆動装置（表示駆動手段）１２２は、表示器１２０を駆動し、操作検出装置（操作検出手段）１３１は、表示器１２０の表示画面に表示されている指示情報入力部に利用者がタッチ（接触）したことを検出する。操作検出装置１３１としては、典型的には、タッチセンサが用いられる。処理装置１８０は、表示器駆動装置１２２に表示制御信号を出力して表示器１２０の表示画面に種々の情報を表示する。また、操作検出装置１２２の検出信号に基づいて利用者がタッチした位置を判別することによって、利用者が入力した情報（例えば、指示情報）を判別する。
投入金額検出装置１３１は、硬貨投入口１３０ａに投入された硬貨や紙幣投入口１３０ｂに投入された紙幣を検出する。処理装置１８０は、投入金額検出装置１３１の検出信号に基づいて投入金額を合計した合計金額を判別する。
読取／書込装置１４１は、プリペイドカード投入口１４０に投入されたプリペイドカードに記憶されている残高情報を読み取り、また、更新された残高情報をプリペイドカードに書き込む。処理装置１８０は、読取／書込装置１４１に読取制御信号を出力することによってプリペイドカードに記憶されている残高情報を読み取り、また、読取／書込装置１４１に書込制御信号を出力することによってプリペイドカードに更新された残高情報を書き込む。
送受信装置１５１は、選択信号入力部１５０と接地（アース）との間に設けられている。処理装置１８０は、動作モード制御信号（例えば、送信モード制御信号や受信モード制御信号）を送受信装置１５１に出力して送受信装置１５１の動作モードを制御することによって、選択情報入力部１５０にタッチしている利用者が携帯している人体側通信装置２００の記憶装置に記憶されている選択信号を、選択信号入力部１５０及び選択信号入力部１５０にタッチしている利用者の人体を含む信号伝送路を介して受信する、すなわち、人体側通信装置２００の記憶装置に記憶されている選択信号を読み取る。
発券装置１６１は、種々の情報が印刷された切符を切符排出口１６０から排出する。処理装置１８０は、発券制御信号を発券装置１６１に出力することによって乗車駅情報や運賃情報等が印刷された切符を切符排出口１６０から排出させる。切符に印刷する情報としては、種々の情報を用いることができる。例えば、乗車駅情報及び降車駅情報と運賃情報と発券日時情報あるいは乗車駅情報と運賃情報と発券日時情報等を用いることができる。
釣銭検出装置１７１は、釣銭を検出して釣銭排出口１７０から排出する。処理装置１８０は、投入された現金の合計金額と切符の購入代金（運賃）との差額を示す釣銭情報を含む釣銭排出制御信号を釣銭検出装置１７１に出力することによって、釣銭を釣銭排出口１７０から排出させる。
【００１８】
次に、人体側通信装置２００の概略構成を、図３を参照して説明する。
人体側通信装置２００は、処理装置２１０を主体に構成されている。また、入力装置や出力装置等の種々の装置が設けられ、処理装置２１０に接続されている。また、人体側通信装置２００には、一対の電極２５０ａ、２５０ｂが設けられている。
図３では、記憶装置２２０、入力キー２３０、送受信装置２４０等が設けられている。
記憶装置（記憶手段）２２０には、種々のプログラムや選択情報が記憶される。本実施の形態では、選択情報は、選択情報データベース２２０ａに記憶される。
記憶装置（記憶手段）２２０としては、人体側通信装置２００に一体的に設けられた記憶装置を用いることもできるし、人体側通信装置２００に設けられた装着部に着脱自在に装着されている記憶装置を用いることもできる。例えば、利用者カードを用いることができる。この場合、利用者カードを装着部に装着することにより、利用者カードに設けられている端子と装着部に設けられている端子が接続され、処理装置１８０が、装着部に装着された利用者カードにアクセス可能に構成する。また、この場合には、制御プログラム等を記憶する他の記憶装置を人体側通信装置１００に設けるのが好ましい。
本実施の形態では、選択情報が記憶される記憶装置が、本発明の「記憶手段」に対応する。
選択情報データベース２２０ａに記憶する選択情報としては、端末装置１００（具体的には、図２に示す処理装置１８０）が切符の発券処理を実行するために必要な情報の中から選択された情報が用いられる。
前述したように、端末装置１００が切符の発券処理を実行するために必要な情報は、端末装置１００での発券処理方法に応じて決定される。例えば、乗車駅を示す乗車駅情報と降車駅を示す降車駅情報に基づいて切符を発券する場合には乗車駅情報と降車駅情報が必要であり、降車駅情報に基づいて切符を発券する場合には降車駅情報が必要であり、運賃情報に基づいて切符を発券する場合には運賃情報が必要である。選択情報データベース２２０ａに記憶する選択情報は、情報入力部１１０で入力可能な情報の中から選択した情報を用いるのが好ましい。この場合には、端末装置１００（具体的には処理装置１８０）は、情報入力部１１０から入力された情報あるいは人体側通信装置２００の記憶装置２２０から読み取った選択情報に基づいて、同じ処理方法で発券処理を実行することができるため、処理負担が軽減される、また、安価に構成することができる。本実施の形態では、情報入力部１１０から乗車駅情報と降車駅情報を入力するように構成されているため、人体側通信装置２００の記憶装置２２０の選択情報データベース２２０ａには、乗車駅情報と降車駅情報が記憶される。
選択情報を記憶装置２２０の選択情報データベース２２０ａに記憶する方法としては、種々の方法を用いることができる。例えば、人体側通信装置２００に設けられている入力キー２３０を用いて入力する方法を用いることができる。
【００１９】
電極２５０ａ、２５０ｂは、人体側通信装置２００を携帯している利用者の人体とともに信号伝送路を形成するように構成されている。電極２５０ａ、２５０ｂは、人体側通信装置２００の筐体から露出するように配設されているのが好ましい。また、電極２５０ａ、２５０ｂが利用者の人体に直接接触するように人体側通信装置２００が配置されるのが好ましいが、電極２５０ａ、２５０ｂと人体を含む信号伝送路を形成することができれば、電極２５０ａ、２５０ｂと人体との間に衣服等の介在物が存在する状態で配置されてもよい。
本明細書では、選択情報入力部１５０や電極２５０ａ、２５０ｂと人体との間に衣服等の介在物が存在していても、選択情報入力部１５０や電極２５０ａ、２５０ｂと人体を含む信号伝送路が形成される場合には、選択情報入力部１５０や電極２５０ａ、２５０ｂに人体が接触している概念に含まれる。
送受信装置２４０は、電極２５０ａと２５０ｂの間に接続されている。これにより、送受信装置２４０は、人体側通信装置２００を携帯している利用者が選択情報入力部１５０にタッチ（接触）した時に、選択情報入力部１５０と利用者の人体と電極２５０ａ、２５０ｂを含む信号伝送路を介して、端末装置１００の送受信装置１５１と信号の送受信が可能な状態となる。処理装置２１０は、送受信装置２４０を受信動作モードに設定することにより送受信装置２４０信号を受信可能とし、また、送受信装置２４０を送信動作モードとすることにより、記憶装置２２０の選択情報データベース２２０ａに記憶されている選択情報選択情報の送信を可能とする。
人体側通信装置２００の送受信装置２４０から端末装置１００送受信装置１５１に選択情報を送信する方法としては、種々の方法を用いることができる。
【００２０】
次に、本実施の形態の動作を説明する。なお、以下では、人体側通信装置２００の記憶装置２２０の選択情報データベース２２０ａに選択情報「ＸＸＸ駅（乗車駅情報）−ＹＹＹ（降車駅情報）」が記憶されているものとする。
人体側通信装置２００を携帯している利用者が端末装置１００の選択情報入力部１５０にタッチ（接触）すると、図１及び図２の破線で示すように、選択情報入力部１５０と利用者の人体と人体側通信装置２００の電極２５０ａ、２５０ｂを含む信号伝送路が形成される。
これにより、処理装置１８０は、送受信装置１５１の動作モードを制御し、選択情報入力部１５０と利用者の人体と人体側通信装置２００の電極２５０ａ、２５０ｂを含む信号伝送路を介して、人体側通信装置２００の記憶装置２２０に記憶されている選択情報「ＸＸＸ駅（乗車駅情報）−ＹＹＹ（降車駅情報）」を読み取る。
人体側通信装置２００の記憶装置２２０に記憶されている選択情報を、端末装置１００の送受信装置１５１を用いて読み取る方法としては、種々の方法を用いることができる。例えば、利用者が選択情報入力部１５０にタッチしたことを検出すると、送受信装置１５１を送信動作モードに設定し、送受信装置１５１から情報送信要求信号を送信する。情報送信要求信号を送信すると、送受信装置１５１を受信動作モードに設定する。人体側通信装置２００の送受信装置２４０は、通常、受信動作モードに設定されている。これにより、利用者が選択情報入力部１５０にタッチすると、選択信号入力部１５０にタッチしている利用者が携帯している人体側通信装置２００の送受信装置２４０は、利用者の人体を含む信号伝送路を介して、端末装置１００の送受信装置１５１から送信された送信要求信号を受信する。人体側通信装置２００の処理装置２１０は、送受信装置１５１により送信要求信号を受信すると、送受信装置２４０を送信動作モードに切り替え、記憶装置２２０に記憶されている選択情報を送受信装置２４０から送信する。選択情報を送信すると、送受信装置２４０を受信動作モードに設定する。これにより、端末装置１００の送受信装置１５１は、人体側通信装置２００の送受信装置２４０から送信された選択情報を、選択情報入力部１５０にタッチしている利用者の人体を含む信号伝送路を介して受信する。端末装置１００の処理装置１８０は、送受信装置１５１で受信した選択情報を判別する。
処理装置１８０は、送受信装置１５１により受信した選択情報を用いて、乗車区間の運賃を判別する。この場合、受信した選択情報「ＸＸＸ駅（乗車駅情報）−ＹＹＹ駅（降車駅情報）」に基づいて、「ＸＸＸ駅」から「ＹＹＹ駅」の間の乗車区間の運賃を判別する。そして、表示器駆動装置１２１に表示制御信号を出力し、判別した運賃を示す運賃情報を表示器１２０の表示画面に表示する。
【００２１】
利用者は、硬貨投入口１３０ａへの硬貨の投入や紙幣投入口１３０ｂへの紙幣の投入によって運賃を支払うための現金を投入する。あるいは、プリペイドカード投入口１４０にプリペイドカードを投入する。そして、表示器１２０の表示画面に表示されている購入指示情報入力部（図１に示す「ＯＫ」表示部１２０ａ）を選択する。
処理装置１８０は、投入された現金の総額あるいはプリペイドカードに記憶されている残高情報で示される残高が、判別した運賃以上である場合に、発券装置１６１に発券制御信号を出力し、切符排出口１６０から切符を排出する。また、釣銭がある場合には、釣銭検出装置１７１に釣銭制御信号を出力し、釣銭排出口１７０から釣銭を排出する。あるいは、読取／書込装置１４１に書き込み制御信号を出力し、更新された残高情報をプリペイドカードに書き込んだ後、プリペイドカード投入口１４０から排出する。
なお、表示器１２０の表示画面に「ＯＫ」部を表示することなく、投入された現金の総額あるいはプリペイドカードに記憶されている残高情報で示される残高が、判別した運賃以上である場合に発券処理を実行するように構成することもできる。
【００２２】
本実施の形態では、券売機として構成されている端末装置１００を用いて切符を購入する利用者は、端末装置１００が切符を発券する処理を実行するために必要な情報である、乗車駅情報と降車駅情報を選択情報として記憶装置２２０に記憶している人体側通信装置２００を携帯した状態で、端末装置１００に設けられている選択情報入力部１５０にタッチ（接触）するのみで、乗車駅情報や降車駅情報を端末装置１００に入力することができる。これにより、従来の券売機のように、乗車駅情報や降車駅情報に対応する情報入力部を探し出して操作する必要がないため、利用者は、簡単な操作で情報を入力することができる。
また、情報入力部１１０を操作して降車駅情報等の情報を入力して切符を購入する利用者も利用することができるため、利便性が向上する。
【００２３】
なお、本実施の形態は、前記した構成に限定されず、種々の変更、追加、削除が可能である。
例えば、人体側通信装置２００の記憶装置２２０に記憶する選択情報として、乗車駅情報と降車駅情報を用いたが、選択情報としては、乗車駅情報と降車駅情報に限定されず、券売機が切符を発行する処理を実行することができる情報の中から選択することができる。例えば、降車駅情報あるいは運賃情報を選択情報として用いることもできる。
また、情報入力部１１０により乗車駅情報と降車駅情報を入力したが、情報入力部１１０により入力する情報としては、乗車駅情報と降車駅情報に限定されず、端末装置１００が切符を発券する処理を実行することができる種々の情報を入力することができる。例えば、降車駅情報あるいは運賃情報を入力するように構成することもできる。
また、端末装置１００が、切符を発券する処理を実行する場合について説明したが、本実施の形態の技術は、端末装置１００が、切符を発券する処理を実行する場合に限定されず、利用者が入力した情報に基づいて種々に処理を実行する場合に適用することができる。例えば、端末装置１００として飲み物等を販売する自動販売機を用いた場合にも適用することができる。なお、情報入力部１１０により入力される情報や人体側通信装置２００の記憶装置２２０に記憶する選択情報は、端末装置で実行する処理に応じて適宜決定される。
【００２４】
また、記憶装置２２０に選択情報として記憶させる情報を人体側通信装置２００に一体的に設けられている入力キー２３０により入力したが、記憶装置２２０に選択情報として記憶させる情報を入力する方法はこれ限定されない。
例えば、図４に示すように、人体側通信装置２００に接続可能な携帯電話機２１０等の携帯端末装置やパソコン２２０等に設けられている入力キーにより入力することができる。
例えば、携帯電話機３１０から情報を入力する場合には、携帯電話機３１０を人体側通信装置２００に接続する。そして、人体側通信装置２００を書込モードに設定する。人体側通信装置２００を書込モードに設定する方法としては、例えば、人体側通信装置２００に設けられているモード切替キーを操作する方法を用いることができる。あるいは、携帯電話機３１０が人体側通信装置３１０に接続されたことを検出すると、人体側通信装置２００が自動的に書込モードに設定されるように構成することもできる。
そして、携帯電話機２１０の入力キーを用いて、人体側通信装置２００の記憶装置２２０に選択情報として記憶させる情報を入力する。例えば、乗車駅「ＸＸＸ駅」及び降車駅「ＹＹＹ駅」の駅名を入力して、書込キーを操作する。これにより、携帯電話機２１０から人体側通信装置２００に、乗車駅「ＸＸＸ駅」及び降車駅「ＹＹＹ駅」を示す乗車駅情報と降車駅情報を含む書き込み要求信号が送信される。人体側通信装置２００の処理装置２１０は、受信した書き込み要求信号に含まれている乗車駅情報と降車駅情報を選択情報として記憶装置２２０に記憶する。
パソコン３２０を用いて情報を入力する場合も同様である。
なお、本実施の形態では、人体側通信装置２００に一体的に設けられている入力キー２３０や人体側通信装置２００に接続される携帯電話機２１０等の携帯端末装置やパソコン３２０等に設けられている入力キーが、本発明の「入力手段」に対応する。
【００２５】
このように、人体側通信装置に接続された携帯端末装置やパソコン等により、人体側通信装置２００の記憶装置２２０に記憶させる選択情報を入力可能に構成することにより、人体側通信装置２００の入力キー２３０を省略することができ、人体側通信装置２００を小型に構成することができる。
また、大部分の利用者が所有している、携帯電話機等の携帯端末装置やパソコン等を用いることができるため、人体側通信装置２００の記憶装置２２０に記憶させる選択情報を、特別の入力装置を必要とすることなく、容易に入力することができる。
また、携帯電話機３１０等の携帯端末装置は、利用者が常時携帯していることが多い。このため、端末装置１００に新しい選択情報を記憶させる必要がある場合には、人体側通信装置２００に携帯電話機等の携帯端末装置を接続することによって、その場で、端末装置１００に新しい選択情報を記憶させることができる。
したがって、人体側通信措置２００を小型に構成しながら、利用者の利便性を向上させることができる。
【００２６】
以上では、人体側通信装置２００の記憶装置２２０に記憶する選択情報を、人体側通信装置２００に一体的に設けられている入力キー２３０あるいは人体側通信装置２００に接続されている携帯端末装置やパソコン等に設けられている入力キーにより入力したが、通信装置を用いて情報提供装置からダウンロードした情報を入力することもできる。
端末装置が処理を実行するために必要な情報を提供可能な情報提供装置から通信装置によりダウンロードした情報を、人体側通信装置２００の記憶装置２２０に選択情報として記憶する実施の形態を図４及び図５を参照して説明する。
本実施の形態では、端末装置１００を券売機として構成した場合について説明する。また、端末装置１００で切符を発券する処理を実行するために必要な情報（例えば、乗車駅情報と降車駅情報）を、情報提供装置である、Ｗｅｂサイトに掲載するＷｅｂ情報を管理しているＷｅｂサイト管理装置から、通信装置を用いてダウンロードする場合について説明する。
【００２７】
本実施の形態は、端末装置、人体側通信装置、通信装置、情報提供装置により構成されている。
本実施の形態の端末装置は、図１に示した端末装置１００と同様の構成の端末装置を用いることができるため、説明は省略する。
本実施の形態の人体側通信装置２００を、図４を参照して説明する。
図４に示す人体側通信装置２００は、処理装置２１０を主体に構成されている。また、入力装置や出力装置等の種々の装置が設けられ、処理装置２１０に接続されている。
本実施の形態では、記憶装置２２０、送受信装置２４０及び２６０が設けられている。また、人体側通信装置２００には、一対の電極２５０ａ、２５０ｂが設けられている。なお、本実施の形態では、入力キー２３０を省略することができる。
記憶装置２２０は、図３に示した記憶装置２２０と同様の構成であり、選択情報を記憶する選択情報データベース２２０ａを有している。また、送受信装置２４０は、図３に示した送受信装置２４０と同様の構成であり、電極２４０ａと２４０ｂの間に配置され、端末装置１００の選択情報入力部１５０と利用者の人体と電極２４０ａ、２４０ｂを含む信号伝送路を介して、記憶装置２２０に記憶されている選択情報を送信する。
送受信装置２６０は、記憶装置２２０の選択情報データベース２２０ａに選択情報として記憶する情報を通信装置から受信するために設けられている。なお、端末装置１００の送受信装置１５１と信号の送受信を行う送受信装置２４０と、通信装置３１０あるいは３２０と信号の送受信を行う送受信装置２６０の構成が同じ場合には、送受信装置２４０と送受信装置２６０を１台の送受信装置で兼用してもよい。
通信装置としては、図４に示すように、携帯電話機３１０等の携帯端末装置あるいはパソコン３２０を用いることができる。携帯電話機３１０あるいはパソコン３２０と送受信装置２６０は、有線あるいは無線の信号線を介して接続されている。なお、以下では、携帯電話機３１０とパソコン３２０等を総称して「通信装置」という。
通信装置は、端末装置１００で切符を発券する処理を実行するために必要な情報（本実施の形態では、乗車駅情報と降車駅情報）を掲載しているＷｅｂサイトを管理するＷｅｂサイト管理装置４００に接続可能に構成されている。
なお、携帯電話機３１０やパソコン３２０等の通信装置やＷｅｂサイト管理装置４００等の構成は公知であるため、説明は省略する。
【００２８】
次に、本実施の形態の動作を説明する。
まず、人体側通信装置２００の記憶装置２２０の選択情報データベース２２０ａに選択情報を記憶させる動作を説明する。
利用者は、通信装置（携帯電話機３１０あるいはパソコン３２０等）を用いて、人体側通信装置２００の記憶装置２２０の選択情報データベース２２０ａに選択情報として記憶する、端末装置１００で切符の発券処理を実行するために必要な情報を提供しているＷｅｂサイトにアクセスする。例えば、該当するＷｅｂサイトのアドレス情報を通信装置からインターネット通信回線に送信することにより、該当するＷｅｂサイトを管理するＷｅｂサイト管理装置４００と接続する。
そして、メニュー画面で、「乗降駅情報取り込み」メニューを選択する。これにより、Ｗｅｂサイト管理装置４００から通信装置に乗降駅情報取り込み画面情報が送信され、通信装置の表示装置の表示画面には、例えば、図５に示す「乗降駅情報取り込み画面」が表示される。図５に示す「乗降駅情報取り込み画面」には、乗車駅情報が表示される乗車駅情報表示部３４０、乗車駅情報の次候補の表示を指示する次候補表示指示情報を入力する次候補表示指示情報入力部３４０ａ、降車駅情報が表示される降車駅情報表示部３５０、降車駅情報の次候補の表示を指示する次候補表示指示情報を入力する次候補表示指示情報入力部３５０ａ、取り込み指示情報を入力する取り込み指示情報入力部３６０が表示される。
利用者は、表示装置の表示画面に「乗降駅情報取り込み画面」が表示されている状態で、所望の乗車駅情報と降車駅情報を選択する。例えば、次候補表示指示情報入力部３４０ａや３５０ａを選択することによって、乗車駅情報表示部３４０や降車駅情報表示部３５０に所望の乗車駅情報や降車駅情報を表示させる。
そして、取り込み指示情報を入力する。例えば、「乗降駅情報取り込み画面」に表示されている取り込み指示情報入力部３６０を選択する。これにより、「乗降駅情報取り込み画面」の乗車駅情報表示部３４０に表示されている乗車駅情報と降車駅情報表示部３５０に表示されている降車駅情報が、Ｗｅｂサイト管理装置４００から通信装置に送信される（ダウンロードされる）。
【００２９】
次に、通信装置にダウンロードした乗車駅情報と降車駅情報を、通信装置から人体側通信装置２００に送信し、人体側通信装置２００の記憶装置２２０の選択情報データベース２２０ａに記憶させる。例えば、通信装置と人体側通信装置２００を接続し、通信装置にダウンロードした乗車駅情報と降車駅情報を含む書き込み要求信号を、通信装置の送受信装置から、人体側通信装置２００の送受信装置２６０に、通信回線を介して送信する。人体側通信装置２００の処理装置２１０は、通信装置から送信された書き込み要求信号を送受信装置２６０で受信すると、書き込み要求信号に含まれている乗車駅情報と降車駅情報を選択情報として、記憶装置２２０の選択情報データベース２２０ａに記憶する。
なお、通信装置と人体側通信装置２００を接続した状態で、Ｗｅｂサイト管理装置４００から通信装置への乗車駅情報と降車駅情報のダウンロード及びダウンロードした乗車駅情報と降車駅情報の人体側通信装置２００への送信を行ってもよいし、Ｗｅｂサイト管理装置４００から通信装置に乗車駅情報と降車駅情報をダウンロードした後に、通信装置と人体側通信装置２００を接続し、ダウンロードした乗車駅情報と降車駅情報を通信装置から人体側通信装置２００に送信してもよい。
また、通信装置でダウンロードした情報を人体側通信装置２００に送信して記憶装置２２０に記憶させる方法としては、種々の方法を用いることができる。
人体側通信装置２００の記憶装置２２０に選択情報が記憶された後の動作は、前述した動作を同様であるため、説明は省略する。
【００３０】
本実施の形態では、乗車駅情報と降車駅情報を通信装置を用いてＷｅｂサイト管理装置からダウンロードし、ダウンロードした乗車駅情報と降車駅情報を通信装置から人体側通信装置２００に送信し、選択情報として記憶装置２２０に記憶している。
人体側通信装置２００の記憶装置２２０に記憶させる選択情報をＷｅｂサイト管理装置の等の情報提供装置から受信する場合、予め登録されている複数の情報の中から所望の情報を選択操作するだけよいため、操作が簡単である。
また、通信装置としては、大部分の利用者が所有している、携帯電話機等の携帯端末装置やパソコン等を用いることができるため、人体側通信装置２００に、選択情報を入力するための入力キー等を用いる必要がなく、人体側通信装置２００を小型に構成することができる。また、特別の入力装置を必要とすることなく、容易に入力することができる。
また、携帯電話機３１０等の携帯端末装置は、利用者が常時携帯していることが多い。このため、端末装置１００に新しい選択情報を記憶させる必要がある場合には、人体側通信装置２００に携帯電話機等の携帯端末装置を接続することによって、その場で、端末装置１００に新しい選択情報を記憶させることができる。
したがって、人体側通信措置２００を小型に構成しながら、利用者の利便性を向上させることができる。
【００３１】
なお、本実施の形態は、前記した構成に限定されず、種々の変更、追加、削除が可能である。
例えば、Ｗｅｂサイト管理装置４００から乗車駅情報と降車駅情報をダウンロードし、選択情報として人体側通信装置２００の記憶装置２２０に記憶させたが、Ｗｅｂサイト管理装置４００からダウンロードして人体側通信装置２００の記憶装置２２０に記憶させる選択情報は、端末装置１００の処理内容や処理方法に応じて決定される。
例えば、端末装置１００が、降車駅情報に基づいて切符の発券処理を実行する場合には、Ｗｅｂサイト管理装置４００から、降車駅情報取り込み画面情報が通信装置に送信され、通信装置の表示装置の表示画面には、「降車駅情報取り込み画面」が表示される。この場合、利用者は、「降車駅情報取り込み画面」が表示されている状態で、降車駅情報を選択して取り込み指示情報を入力する。これにより、Ｗｅｂサイト管理装置４００から通信装置に降車駅情報が送信される（ダウンロードされる）。
あるいは、端末装置１００が、運賃情報に基づいて切符の発券処理を実行する場合には、Ｗｅｂサイト管理装置４００から運賃情報取り込み画面情報が通信装置に送信され、通信装置の表示装置の表示画面には、「運賃情報取り込み画面」が表示される。この場合、利用者は、「運賃情報取り込み画面」が表示されている状態で、乗車駅情報と降車駅情報を選択し、取り込み指示情報を入力する。これにより、Ｗｅｂサイト管理装置４００は、選択された乗車駅情報と降車駅情報に基づいて、乗車区間に対応する運賃情報を判別し、判別した運賃情報を通信装置に送信する（ダウンロードする）。
また、Ｗｅｂサイトに掲載している情報を管理しているＷｅｂサイト管理装置から選択情報をダウンロードしたが、Ｗｅｂサイト管理装置以外の種々の情報提供装置からダウンロードすることができる。
また、通信装置として、人体側通信装置２００に接続されている携帯電話機３１０等の携帯端末装置やパソコン３２０等に設けられている通信装置を用いたが、人体側通信装置２００に一体的に設けられている通信装置を用いることもできる。
本実施の形態では、人体側通信装置２００に接続される携帯電話機２１０等の携帯端末装置やパソコン３２０等に設けられている通信装置あるいは人体側通信装置２００に一体的に設けられている通信装置が、本発明の「通信手段」に対応する。
【００３２】
ここで、人体側通信装置２００を用いて異なる選択情報を端末装置１００に入力する場合には、人体側通信装置２００の記憶装置２２０の選択情報データベース２２０ａに複数の選択情報を記憶し、端末装置１００に入力する選択情報を適宜選択可能に構成するのが好ましい。
人体側通信装置２００の記憶装置２２０の選択情報データベース２２０ａに記憶させる選択情報を入力する方法としては、前述した、人体側通信装置に設けられている入力キーを用いて入力する方法や、通信装置により情報提供装置からダウンロードした情報を入力する方法等を用いることができる。
人体側通信装置２００の記憶装置２２０の選択情報データベース２２０ａに複数の選択情報が記憶されている状態を図６に示す。
図６に示す選択情報データベースには、選択情報が選択情報識別情報（選択情報ＩＤ）に対応させて記憶されている。例えば、選択情報ＩＤ［００１］に対応させて選択情報［ＸＸＸ駅（乗車駅情報）−ＹＹＹ駅（降車駅情報）］が記憶され、選択情報ＩＤ［００２］に対応させて選択情報［ＹＹＹ駅（乗車駅情報）−ＸＸＸ駅（降車駅情報）］が記憶されている。この場合、例えば、往路では選択情報ＩＤ［００１］に対応する選択情報を選択し、復路では選択情報ＩＤ［００２］に対応する選択情報を選択することができる。また、選択情報ＩＤ［００５］に対応させて選択情報［ＳＳＳ駅（降車駅情報）］が記憶されている。選択情報ＩＤ［００５］に対応する選択情報は、降車駅情報のみを用いて切符の発券処理を実行する端末装置１００に対して用いられる。
記憶装置２２０の選択情報データベース２２０ａに記憶されている複数の選択情報の中から所望の選択情報を選択する方法としては、種々の方法を用いることができる。例えば、人体側通信装置２００に選択キーを設け、選択キーによって選択する方法を用いることができる。この場合、選択キーによって選択情報ＩＤを入力する方法や、人体側通信装置２００に表示装置を設け、選択キーによって選択されている選択情報（あるいは、選択情報ＩＤ）を表示装置で確認しながら選択キーを操作することによって選択する方法等を用いることができる。この場合、処理装置２１０は選択キーによって選択された選択信号を端末装置１００に送信する。
本実施の形態では、選択キーが本発明の「選択部」に対応する。
人体側通信装置２００の記憶装置２２０の選択情報データベース２２０ａに複数の選択情報が記憶される場合には、人体側通信装置２００の処理装置２１０は、複数の選択情報の中から選択されている選択情報、例えば、選択キーによって選択された選択情報あるいは選択キーによって選択されて表示装置に表示されている選択情報を送受信装置２４０から送信するように構成する。
【００３３】
このように、人体側通信装置２００の記憶装置２２０の選択情報データベース２２０ａに複数の選択情報を記憶可能とするとともに、選択情報データベース２２０ａに記憶されている複数の選択情報の中から任意の選択情報を選択可能に構成することにより、１台の人体側通信装置２００を用いて端末装置に異なる選択情報を入力することができる。
これにより、利用者の利便性が向上する。
なお、本実施の形態では、複数の選択情報の中から、１つの選択情報のみを選択可能に構成してもよいし、複数の選択情報を選択可能に構成してもよい。すなわち、複数の選択情報の中から少なくとも１つの選択情報を選択可能であればよい。複数の選択情報を選択する方法としては、例えば、選択情報選択モードを設定可能に構成し、選択情報選択モードに設定されている状態で選択された選択情報を記憶する方法を用いることができる。
【００３４】
以上の実施の形態では、人体側通信装置の記憶装置に選択情報を記憶し、選択情報を端末装置に入力したが、人体側通信装置の記憶装置に選択情報と利用者を識別する利用者識別情報を記憶し、選択情報と利用者識別情報を端末装置に入力するように構成することもできる。
以下に、人体側通信装置の記憶装置に選択情報と利用者識別情報を記憶させた第２の実施の形態を、図７〜図９を参照して説明する。
本実施の形態は、端末装置１００、人体側通信装置２００、管理装置５００により構成されている。
【００３５】
端末装置１００は、図７に示すように、処理装置１８０、操作検出装置１１１、表示器駆動装置１２１、操作検出装置１２２、投入金額検出装置１３１、読取／書込装置１４１、送受信装置１５１、発券装置１６１、釣銭検出装置１７１、送受信装置１９０等が設けられている。
操作検出装置１１１、表示器駆動装置１２１、操作検出装置１２２、投入金額検出装置１３１、読取／書込装置１４１、送受信装置１５１、発券装置１６１、釣銭検出装置１７１は、図１に示したものと同様の構成であるため、説明は省略する。
送受信装置１９０は、管理装置５００の送受信装置５３０と情報の送受信を行うためのものである。
処理装置１８０は、送受信装置１５１を用いて、人体側通信装置２００の記憶装置２２０に記憶されている選択情報と利用者識別情報を読み取る。人体側通信装置２００の記憶装置２２０に記憶されている選択情報と利用者識別情報を読み取る方法としては、前述した、人体側通信装置２００の記憶装置２２０に記憶されている選択情報を読み取る方法と同様の方法を用いることができる。
処理装置１８０は、読み取った選択情報に基づいて処理を実行する。例えば、端末装置１００として券売機が用いられ、読み取った選択情報が［ＸＸＸ駅（乗車駅情報）−ＹＹＹ駅（降車駅情報）］である場合には、「ＸＸＸ駅」から「ＹＹＹ駅」までの乗車区間に対応する運賃の判別処理や、切符の発券処理等を実行する。
また、処理装置１８０は、選択情報に基づいて実行する処理に対応する処理情報と、人体側通信装置２００から読み取った利用者識別情報を、送受信装置１９０から管理装置５００の送受信装置５３０に送信する。
選択情報に基づいて実行される処理に対応する処理情報としては、管理装置が、処理情報に基づいて利用者情報を処理するために必要な情報が用いられる。処理情報としては、例えば、端末装置が切符等の販売機として構成される場合には、入力された選択情報に基づいて販売する販売品の購入金額情報が用いられる。勿論、処理情報として、さらに、管理装置が利用者情報を管理するのに有効な情報、例えば、購入内容情報（例えば、鉄道会社情報、乗車区間情報）や購入日時情報等も用いてもよい。
【００３６】
人体側通信装置２００は、図８に示すように、処理装置２１０、記憶装置２２０、入力キー２３０、送受信装置２４０等が設けられている。また、人体側通信装置２００には、電極２５０ａ、２５０ｂが設けられている。なお、記憶装置２２０に記憶する選択情報や利用者識別情報を、通信装置により情報提供装置からダウンロードして人体側通信装置１００に入力する方法等を用いる場合には、入力キー２３０は省略することができる。
記憶装置２２０には、選択情報と、利用者を示す利用者識別情報が記憶される。例えば、記憶装置２２０に、選択情報を記憶する選択情報データベース２２０ａと、利用者識別情報を記憶する利用者識別情報データベース２２０ｂが設けられている。送受信装置２４０は、電極２５０ａと２５０ｂの間に配置されている。
処理装置２１０は、利用者が選択情報入力部１５０にタッチすると、選択情報入力部１５０と利用者の人体と電極２５０ａ、２５０ｂを含む信号伝送路を介して、記憶回路２２０に記憶されている選択情報と利用者識別情報を送受信装置２４０から送信する。なお、前述したように、記憶装置２２０に複数の選択情報を記憶する場合には、記憶装置２２０に記憶されている複数の選択情報の中から選択された少なくとも一つの選択情報と利用者識別情報を送受信装置２４０から送信する。
【００３７】
管理装置５００は、図７に示すように、処理装置５１０を主体に構成されている。また、入力装置や出力装置等の種々の装置が設けられ、処理装置５１０に接続されている。
本実施の形態では、記憶装置５２０、送受信装置５３０を有している。記憶装置５２０には、各利用者の利用者情報が記憶されている。
利用者情報としては、好適には、端末装置１００が選択情報の入力に基づいて実行する処理に対して変動する利用者情報が用いられる。例えば、利用者が前払いしている金額の残高情報、切符や飲み物等の購入に対する購入金額情報が用いられる。なお、利用者情報には、さらに、購入内容情報、購入日時情報等の購入履歴情報等を用いることもできる。
各利用者の利用者情報は、記憶装置５２０に利用者情報データベース５２０ａとして記憶される。利用者データベース５２０ａの一例を図９に示す。図９に示す利用者情報データベースでは、各利用者の利用者情報である、入金／出金日時情報、入金／出金内容情報、前払いしている金額の残高情報等が、利用者を示す利用者識別情報用である利用者ＩＤに対応させて記憶されている。例えば、利用者ＩＤ［０００１］に対応する利用者の利用者情報として、［１００５／０１／０７，１１：１５］に［３０００円］の入金があり、残高が［３０００円］であることが記憶されている。また、［２００５／０１／０９，１３：１７］に［ＡＡＡ鉄道］の利用に対して［６４０円］の運賃支払いに対する出金があり、残金が［２３６０円］であることが記憶される。
処理装置５１０は、端末装置１８０の送受信装置１９０から送信された処理情報と利用者識別情報を送受信装置５３０で受信すると、受信した利用識別情報に対応する利用者情報を、受信した処理情報に基づいて処理を行う。例えば、端末装置１００が券売機として構成され、人体側通信装置２００から読み取った選択情報に基づいて、乗車区間に対応する運賃情報の判別処理と、切符の発券処理を実行し、運賃情報、鉄道会社情報、発券日時情報等を含む処理情報と、人体側通信装置２００から読み取った利用者識別情報［０００１］を管理装置５００に送信する場合には、管理装置５００の処理装置５１０は、受信した利用者識別情報［０００１］に対応する利用者情報データベースに、処理情報に含まれている運賃情報、発券日時情報、鉄道会社情報を記憶するとともに、残高情報から運賃情報を減算した残高情報を記憶する。
【００３８】
次に、本実施の形態の動作を説明する。以下では、端末装置１００が券売機として構成され、人体側通信装置２００の記憶装置２２０には、選択情報［ＸＸＸ駅（乗車駅情報）−ＹＹＹ駅（降車駅情報）］と利用者ＩＤ［０００１］が記憶され、管理装置５００の記憶装置５２０には、利用者ＩＤ［０００１］に対応する利用者情報の残高情報として［３０００円］が記憶されているものとする。
利用者が、人体側通信装置２００を携帯した状態で端末装置１００の選択情報入力部１５０にタッチ（接触）すると、端末装置１００の処理装置１８０は、前述した方法で、人体側通信装置２００の記憶装置２２０に記憶されている選択情報［ＸＸＸ駅（乗車駅情報）−ＹＹＹ駅（降車駅情報）］と利用者ＩＤ［０００１］を読み取る。
処理装置１８０は、読み取った選択情報［ＸＸＸ駅（乗車駅情報）−ＹＹＹ駅（降車駅情報）］に基づいて、「ＸＸＸ駅」と「ＹＹＹ駅」との間の乗車区間の運賃情報を判別する。例えば、運賃情報［６４０円］を判別する。
そして、処理装置１８０は、発券装置１６１に発券制御信号を出力し、「ＸＸＸ駅」から「ＹＹＹ駅」までの乗車が可能な切符を切符排出口１６０から排出する。
なお、管理装置５００の記憶装置５２０に記憶されている、読み取った利用者識別情報［０００１］に対応する利用者情報の残高情報で示される残高が運賃以上であることを確認した後に、切符を発券する処理を実行するように構成することもできる。
【００３９】
次に、処理装置１８０は、切符の発券処理に応じた処理情報と、人体側通信装置２００から読み取った利用者ＩＤ［０００１］を送受信装置１９０から管理装置５００の送受信装置５３０に送信する。処理情報としては、端末装置１００による切符の発券処理に対する運賃を示す運賃情報（切符の購入に対する購入費用を示す購入費用情報）が用いられる。なお、本実施の形態では、利用者情報の管理の利便性を考慮して、運賃情報［６４０円］とともに、発券日時情報［２００５．０１．０９，１３：１７］、鉄道会社情報［ＡＡＡ鉄道］が処理情報として用いられている。
管理装置５００の処理装置５１０は、送受信装置５３０により、端末装置１００から送信された処理情報と利用者ＩＤ［０００１］を受信したことを判別すると、記憶装置５２０に記憶されている利用者データベース５２０ａの、利用者ＩＤ［０００１］に対応する利用者情報を処理する。例えば、発券日時情報［２００５．０１．０９，１３：１７］、鉄道会社情報［ＡＡＡ鉄道］、運賃情報［６４０円］を書き込むとともに、残高情報［３０００円］から運賃情報［６４０円］を減算した残高情報［２３６０円］円を書き込む。
なお、図９の、日時情報［２００５．０３．２７，０７：１５］、出金情報［ＣＣＣ購入］、金額情報［１５０円］、残高情報［１１７０円］という利用者情報は、利用者が、自動販売機で商品［ＣＣＣ］を購入した場合のものである。本実施の形態は、このように、異なる種類の端末装置に選択情報を入力する場合にも適用することができる。商品［ＣＣＣ］を購入する場合には、人体側通信装置の記憶装置には、商品［ＣＣＣ］を示す商品識別情報が選択情報として記憶される。なお、人体側通信装置の記憶装置に複数の選択情報が記憶される場合には、選択部によって商品識別情報［ＣＣＣ］を選択しておく。
【００４０】
本実施の形態では、利用者は、記憶装置に選択情報と利用者識別情報が記憶されている人体側通信装置を携帯した状態で、端末装置１００の選択情報入力部１５０にタッチ（接触）するのみで、端末装置に選択情報を入力することができる。
これにより、利用者は、端末装置に処理を実行させるために必要な情報を簡単に入力することができる
また、人体側通信装置に記憶されている選択情報の入力に基づいて実行される端末装置の処理に応じて、人体側通信装置に記憶されている利用者識別情報に対応する利用者情報が管理装置により自動的に管理される。例えば、選択情報に基づいて端末装置に切符を発券する処理を実行させるための費用情報（切符の購入金額情報あるいは運賃情報）と、利用者の残高情報（利用者が前もって支払った金額から購入金額情報を減算した金額情報）が自動的に管理される。
これにより、利用者は、現金の投入操作やプリペイドカードの投入操作を必要とすることなく、簡単に端末装置に処理を実行させることができる。
また、情報入力部１１０を用いて情報を入力する利用者も利用することができるため、利便性が向上する。
【００４１】
なお、本実施の形態では、切符の購入金額情報と利用者の残高情報を管理しているが、端末装置の処理に対する利用者情報の管理方法はこれに限定されない。
例えば、端末装置１００が選択情報に基づいて切符を発券処理する毎に、切符の発券処理に対する費用情報（切符の購入金額情報）を記憶する方法を用いることもできる。この場合には、利用者識別情報に対応して記憶されている費用情報に基づいて、請求書の送付あるいは預金口座からの引き落とし等の清算処理を実行する。
また、券売機で切符を発券する処理に対する処理情報として切符の購入金額情報を用いたが、処理情報は、選択情報に基づいて端末装置が実行する処理の内容や処理の方法に応じて適宜決定される。例えば、商品の販売処理を実行する場合には、商品の購入金額情報が処理情報として用いられる。
【００４２】
本発明は、各実施の形態で説明した構成に限定されず、種々の変更、追加、削除が可能である。
例えば、本発明は、各実施の形態で説明した各構成を適宜組み合わせて用いることができる。
また、本発明は、種々の処理を実行する端末装置に、処理を実行するために必要な情報を入力する情報入力装置として構成することができる。例えば、「人体側通信装置と、信号伝送路形成部及び信号伝送路形成部に接触した利用者の人体を含む信号伝送路を介して、信号伝送路形成部に接触している利用者が携帯している人体側通信装置の記憶手段に記憶されている選択情報を読み取り、読み取った選択情報に基づいて処理を実行する端末装置を備える情報処理装置で使用する人体側通信装置であって、請求項１〜６に記載の構成あるいは実施の形態で説明した構成を備える人体側通信装置。」として構成することができる。人体側通信装置の記憶する選択情報は、端末装置の処理の内容や処理方法等に応じて適宜決定される。
【図面の簡単な説明】
【００４３】
【図１】第１の実施の形態で用いる端末装置の正面図である。
【図２】第１の実施の形態で用いる端末装置の概略構成図である。
【図３】第１の実施の形態で用いる人体側通信装置の概略構成図である。
【図４】人体側通信装置の記憶手段に記憶する選択情報をＷｅｂサイトからダウンロードする動作を説明する図である。
【図５】ダウンロード画面の一例を示す図である。
【図６】選択情報データベースの一例を示す図である。
【図７】第２の実施の形態で用いる端末装置と管理装置の概略構成図である。
【図８】第２の実施の形態で用いる人体側通信装置の概略構成図である。
【図９】利用者情報データベースの一例を示す図である。
【符号の説明】
【００４４】
１００  入出力装置
１１０  行く先ボタン（情報入力部）
１１１、１２２  操作検出装置（操作検出手段）
１２０  表示器（表示手段）
１２１  表示機駆動装置（表示機駆動手段）
１３０ａ  硬貨投入口
１３０ｂ  紙幣投入口
１３１  投入金額検出装置
１４０  プリペイドカード投入口
１４１  読取／書込装置
１５０  タッチキー（信号伝送路形成部）
１５１、１９０、２４０、２６０、５３０  送受信装置（送受信手段）
１６０  切符排出口
１６１  発券装置
１７０  釣銭排出口
１７１  釣銭検出装置
１８０、２１０、５１０  処理装置（処理手段）
２００  人体側通信装置
２２０、５２０  記憶装置（記憶手段）
２２０ａ  選択情報記憶部（選択情報データベース）
２２０ｂ  利用者識別情報記憶部
２３０  入力キー
２５０ａ、２５０ｂ  電極
３１０、３２０  通信装置
４００  Ｗｅｂサイト管理装置（情報提供装置）
５２０ａ  利用者情報データベース
【図１】
2007034627.tif 000003
【図２】
2007034627.tif 000004
【図３】
2007034627.tif 000005
【図４】
2007034627.tif 000006
【図５】
2007034627.tif 000007
【図６】
2007034627.tif 000008
【図７】
2007034627.tif 000009
【図８】
2007034627.tif 000010
【図９】
2007034627.tif 000011